(57)【要約】【課題】撮影画像中の複数の顔画像を識別することが可能な顔検出装置、方法及びプログラムを提供する。【解決手段】管理番号取得部１２は、ＩＣカードリーダ３がＩＣカード６から読み取った情報（スタートコード、管理番号、エンドコードなどを含む）から管理番号を取得する。この管理番号は、ＩＣカード６ごとに割り当てられた固有の識別情報である。リンク部１３は、顔検出部１１の特定した顔位置とＩＣカード６から読み取った管理番号とを対応づけた顔管理情報を管理ＤＢ４に記憶する。指定した管理番号に対応する顔部分以外の顔部分が閲覧困難となるような画像処理を行ってもよい。あるいは、指定された管理番号に対応する顔画像をテンプレート画像の特定の合成領域に配置するようにしてもよい。【選択図】  図１
2006113741.tif 000002
【特許請求の範囲】
【請求項１】
人物の顔部分を記録した撮影画像を入力する撮影画像入力部と、
前記人物の顔部分を検出する検出部と、
ＩＣカードに記憶されている固有の識別情報を読み取る読取部と、
前記検出された顔部分と前記固有の識別情報とを対応づけるリンク部と、
を備える顔検出装置。
【請求項２】
固有の識別情報の指定を受け付ける指定部をさらに備える請求項１に記載の顔検出装置。
【請求項３】
前記指定された固有の識別情報に対応する撮影画像の顔部分に所定の画像処理を行う画像処理部をさらに備える請求項２に記載の顔検出装置。
【請求項４】
前記顔部分を配置する空白の領域である合成領域を有するテンプレート画像を入力するテンプレート画像入力部をさらに備え、
前記画像処理部は、前記指定された固有の識別情報に対応する顔部分の画像である顔画像を前記撮影画像から抽出する抽出部と、前記抽出された顔画像を前記テンプレート画像の合成領域に配置し、前記合成領域に配置された顔画像と前記テンプレート画像とを合成した合成画像を作成する合成部とを有する請求項３に記載の顔検出装置。
【請求項５】
前記指定された固有の識別情報に対応する顔部分以外の顔部分に所定の画像処理を行う画像処理部をさらに備える請求項２に記載の顔検出装置。
【請求項６】
前記所定の画像処理は、前記指定された固有の識別情報に対応する顔部分以外の顔部分の閲覧を困難にする画像処理である請求項５に記載の顔検出装置。
【請求項７】
前記リンク部は前記顔部分が属する撮影画像上の領域に従って前記顔部分と前記固有の識別情報とを対応づける請求項１〜６のいずれかに記載の顔検出装置。
【請求項８】
前記リンク部は前記固有の識別情報が読み取られた順序に従って前記顔部分と前記固有の識別情報とを対応づける請求項１〜７のいずれかに記載の顔検出装置。
【請求項９】
人物の顔部分を記録した撮影画像を入力する撮影画像入力ステップと、
前記人物の顔部分を検出する検出ステップと、
ＩＣカードに記憶されている固有の識別情報を読み取る読取ステップと、
前記検出された顔部分と前記固有の識別情報とを対応づけるリンクステップと、
を含む顔検出方法。
【請求項１０】
人物の顔部分を記録した撮影画像を入力する撮影画像入力ステップと、
前記人物の顔部分を検出する検出ステップと、
ＩＣカードに記憶されている固有の識別情報を読み取る読取ステップと、
前記検出された顔部分と前記固有の識別情報とを対応づけるリンクステップと、
をコンピュータに実行させる顔検出プログラム。
【発明の詳細な説明】
【技術分野】
【０００１】
本発明は顔検出装置、顔検出方法及び顔検出プログラムに係り、特に人物の顔部分を検出する装置、方法及びプログラムに関する。
【背景技術】
【０００２】
従来、人物画像の顔部分の画像である顔画像がどの人物であるかを特定する技術が開発されている。例えば特許文献１によると、異物検出部は、テンプレート画像ＤＢに格納されたテンプレート画像を用いて、カメラにより撮影された認識対象者の顔画像に含まれる異物（例えば、眼帯）を検出する。顔画像修正部は、異物検出部により検出された異物に対応する部分を顔画像から削除し、この削除した部分について、異物の内容に応じて顔画像を修正する処理を行う。例えば、異物が眼帯の場合には、顔画像修正部は、眼帯により隠れていない側の眼の画像を抽出してこれを左右反転し、左右反転して得られた眼の画像と眼帯部分が削除された顔画像とを合成することにより、顔画像の修正を行う。顔画判定部は、修正後の顔画像に基づいて、認識対象者が誰であるかを判定する処理を行う。
【特許文献１】特開２００３−１３２３３９号公報
【発明の開示】
【発明が解決しようとする課題】
【０００３】
ところが、特許文献１の技術では、顔画像の抽出元となる撮影画像の中に記録される人物が複数である場合、各人物の顔画像は認識できるが、どの位置の顔画像がどの人物のものであるかを特定することはできない。本発明はこのような問題点に鑑みてなされたもので、撮影画像中の複数の顔画像を識別することが可能な顔検出装置、方法及びプログラムを提供することを目的とする。
【課題を解決するための手段】
【０００４】
上述の課題を解決するため、本願発明に係る顔検出装置は、人物の顔部分を記録した撮影画像を入力する撮影画像入力部と、人物の顔部分を検出する検出部と、ＩＣカードに記憶されている固有の識別情報を読み取る読取部と、検出された顔部分と固有の識別情報とを対応づけるリンク部と、を備える。
【０００５】
この発明によると、ＩＣカードに記憶されている固有の識別情報と検出された顔部分とを対応づける。即ち、ＩＣカードに記憶された固有の識別情報に基づいて撮影画像及び顔部分を素早く特定できる。
【０００６】
顔検出装置は、固有の識別情報の指定を受け付ける指定部、指定された固有の識別情報に対応する撮影画像の顔部分に所定の画像処理を行う画像処理部をさらに備えてもよい。
【０００７】
所定の画像処理は、色変更、画像サイズ変更など特に限定されない。こうすれば、指定された固有の識別情報に対応する顔部分に特別の画像処理を施した面白い画像を提供することができる。
【０００８】
顔検出装置は、顔部分を配置する空白の領域である合成領域を有するテンプレート画像を入力するテンプレート画像入力部をさらに備え、画像処理部は、指定された固有の識別情報に対応する顔部分の画像である顔画像を撮影画像から抽出する抽出部と、抽出された顔画像をテンプレート画像の合成領域に配置し、合成領域に配置された顔画像とテンプレート画像とを合成した合成画像を作成する合成部とを有していてもよい。
【０００９】
こうすれば、固有の識別情報に対応する顔部分を合成領域に配置して合成した面白い画像を提供することができる。
【００１０】
顔検出装置は、指定された固有の識別情報に対応する顔部分以外の顔部分に所定の画像処理を行う画像処理部をさらに備えていてもよい。
【００１１】
所定の画像処理は、色変更、画像サイズ変更など特に限定されないが、一例として、指定された固有の識別情報に対応する顔部分以外の顔部分の閲覧を困難にする画像処理である。
【００１２】
こうすれば、指定された固有の識別情報に対応する顔部分以外の顔画像を閲覧・複製することを防ぐことができ、肖像権保護や著作権保護に役立つ。
【００１３】
リンク部は顔部分が属する撮影画像上の領域に従って顔部分と固有の識別情報とを対応づけてもよい。あるいは、リンク部は固有の識別情報が読み取られた順序に従って顔部分と固有の識別情報とを対応づけてもよい。
【００１４】
また、上述の課題を解決するため、本願発明に係る顔検出方法は、人物の顔部分を記録した撮影画像を入力する撮影画像入力ステップと、人物の顔部分を検出する検出ステップと、ＩＣカードに記憶されている固有の識別情報を読み取る読取ステップと、検出された顔部分と固有の識別情報とを対応づけるリンクステップと、を含む。
【００１５】
この顔検出方法は、上述の顔検出装置と同様の作用効果を奏する。
【００１６】
また、上述の課題を解決するため、本願発明に係る顔検出プログラムは、人物の顔部分を記録した撮影画像を入力する撮影画像入力ステップと、人物の顔部分を検出する検出ステップと、ＩＣカードに記憶されている固有の識別情報を読み取る読取ステップと、検出された顔部分と固有の識別情報とを対応づけるリンクステップと、をコンピュータに実行させる。
【００１７】
この顔検出プログラムは、上述の顔検出装置と同様の作用効果を奏する。この顔検出プログラムは、ＣＤ−ＲＯＭ、ＤＶＤ、ＭＯその他のコンピュータ読み取り可能な記録媒体に記録して提供してもよい。
【発明の効果】
【００１８】
この発明によると、ＩＣカードに記憶されている固有の識別情報と検出された顔部分とを対応づける。即ち、ＩＣカードに記憶された固有の識別情報に基づいて撮影画像及び顔部分を素早く特定できる。
【発明を実施するための最良の形態】
【００１９】
以下、添付した図面を参照し本発明の好ましい実施の形態を説明する。
【００２０】
＜第１実施形態＞
［概略構成］
図１は、本発明の好ましい第１の実施形態に係る顔検出装置１００の概略機能構成図である。顔検出装置１００は、ＣＰＵやワンチップマイコンなどによって構成される処理部１、コンパクトフラッシュやスマートメディアなどの各種記録媒体から撮影画像を読み出すメディアリーダ２、ＩＣカード６に埋め込まれたＩＣチップから情報を読み取るＩＣカードリーダ３、ハードディスクなどの各種大容量記憶装置で構成される管理ＤＢ４、半導体メモリで構成される記憶部５を有している。処理部１は、記憶部５に記憶されたプログラムである撮影画像入力部１０、顔検出部１１、管理番号取得部１２、リンク部１３を適宜記憶部５から読み出して実行する。撮影画像入力部１０は、メディアリーダ２から読み出された撮影画像を入力する。撮影画像入力部１０は、デジタルスチルカメラ（ＤＳＣ）７やフィルムスキャナから入力された撮影画像をＵＳＢポートやＳＣＳＩポートなどを介して入力してもよいし、ネットワーク接続されたパソコンからＦＴＰ（File Transfer Protocol）サーバのファイルアップロード機能などによって撮影画像を入力してもよい。
【００２１】
顔検出部１１は、記憶部５に記憶された撮影画像から、公知の顔認識技術により人物の顔部分を検出する。撮影画像に複数の人物が記録されている場合は、複数の顔部分を個別に検出する。顔検出部１１は、検出された顔部分の位置である顔位置を顔部分ごとに特定して記憶部５に記憶する。
【００２２】
管理番号取得部１２は、ＩＣカードリーダ３がＩＣカード６から読み取った情報（スタートコード、管理番号、エンドコードなどを含む）から管理番号を取得する。この管理番号は、ＩＣカード６ごとに割り当てられた固有の識別情報である。リンク部１３は、顔検出部１１の特定した顔位置とＩＣカード６から読み取った管理番号とを対応づけた顔管理情報を管理ＤＢ４に記憶する。対応づけの具体例は後述する。
【００２３】
［処理の流れ］
次に、図２のフローチャートに基づき、顔検出装置１００の実行するリンク処理の流れを説明する。
【００２４】
Ｓ１では、撮影画像入力部１０は撮影画像を入力する。図３は撮影画像入力部１０に入力される撮影画像の一例である。撮影画像には、複数の人物Ｆｎ（ここではｎ＝１〜４）が記録された団体集合写真である。各人物Ｆｎには、一意的な管理番号の記録されたＩＣカード６が予め配布されているものとする。
【００２５】
Ｓ２では、顔検出部１１は、入力された撮影画像から、人物の顔部分を検出する。図３では、４人の人物Ｆ１〜Ｆ４の顔部分ｆ１〜ｆ４が検出されている。顔検出部１１は、検出された顔部分の位置である顔位置を顔部分ごとに特定して記憶部５に記憶する。顔位置は、例えば撮影画像の左下端を原点Ｏとした平面座標上の、原点Ｏから人物Ｆｎの顔部分の中心位置Ｃｎまでの画素数で表される。
【００２６】
Ｓ３では、ＩＣカード６から管理番号を取得する。Ｓ４では、ＩＣカード６から取得された管理番号と顔位置とを所定の規則に従って対応づけ、管理ＤＢ４に記憶する。
【００２７】
各人物Ｆｎへ配布されたＩＣカード６に記録されている固有の管理番号と各人物Ｆｎの顔位置Ｃｎとの対応づけの規則は特に限定されず、様々な形態を取りうる。例えば、図４に示すように、複数の人物Ｆ１〜Ｆ４に割り当てられた撮影位置ごとに複数のＩＣカードリーダ３−１〜３−４を設置する。各人物Ｆ１〜Ｆ４には予め固有の管理番号が記録されたＩＣカード６−１〜３−４が配布されている。各人物Ｆ１〜Ｆ４は、自分の立った撮影位置に設置されているＩＣカードリーダ３−１〜３−４に自身の保有するＩＣカード６の情報を読み込ませる。各人物Ｆ１〜Ｆ４の全員がＩＣカードリーダ３−１〜３−４に情報を読み込ませた後、ＤＳＣ７で人物Ｆ１〜Ｆ４を被写体とした撮影画像（図２参照）を記録する。ステップＳ１では、ＤＳＣ７の記録した撮影画像を処理部１に入力する。ステップＳ３では、各ＩＣカードリーダ３−１〜３−４の識別番号３−１〜３−４と各カードリーダ３−１〜３−４から読み込まれた管理番号とを対応づけたカード情報を記憶部５に記憶する。図５（ａ）はカード情報の一例を示す。
【００２８】
一方、図１に示すように、予め記憶部５には、ＩＣカードリーダの識別番号３−１〜３−４とそのカードリーダの設置位置に立った被写体から特定される顔位置が属する互いに重複しない領域である顔基準位置とが対応づけられた顔基準位置テーブル５ａが記憶されている。図５（ｂ）は顔基準位置テーブル５ａに記憶されている情報の一例である。顔基準位置はカードリーダ３の設置位置で撮影された人物の顔位置が一意的に属する閉領域である。例えば図６に示すように、撮影画像を左上、右上、左下、右下の４つに分割する矩形の領域Ｒ１〜Ｒ４を顔基準位置とすることができる。
【００２９】
リンク部１３は、Ｓ２で撮影画像から特定された顔位置と顔基準位置テーブル５ａとを参照して各顔位置が属する顔基準位置を特定し、撮影画像の識別情報（ファイル名など）と該撮影画像から検出された顔位置と該顔位置の属する顔基準位置とを対応づけた顔位置情報を記憶部５に記憶する。図５（ｃ）は顔位置情報の一例を示す。さらに、リンク部１３は、カード情報と顔基準位置テーブル５ａと顔位置情報に従って管理番号と顔位置と該顔位置を検出した撮影画像の識別情報とを対応づけ、この対応を顔管理情報として管理ＤＢ４に記憶する。図５（ｄ）は顔管理情報の一例を示す。
【００３０】
あるいは、各人物Ｆｎへ配布されたＩＣカード６に記録されている固有の管理番号と各人物の顔位置との対応づけは次のように行ってもよい。図７に示すように、複数の人物Ｆ１〜Ｆ４に配布されたＩＣカード６を順次読み取るＩＣカードリーダ３を人物の通過位置（アトラクションの入場ゲートなど）に設置する。各人物Ｆ１〜Ｆ４には予め固有の管理番号が記録されたＩＣカード６が配布されているのは上記と同様である。各人物Ｆ１〜Ｆ４は、ＩＣカードリーダ３に保有するＩＣカード６の情報を読み込ませる。この後、各人物Ｆ１〜Ｆ４はそれぞれカードを読み取らせた順序に応じた位置に誘導され、その位置の各人物Ｆ１〜Ｆ４を記録した撮影画像をＳ１で入力する。ステップＳ３では、ＩＣカード６から取得された管理番号とＩＣカード６の各管理番号を読み取った順序とを対応づけたカード情報を記憶部５に記憶する。図８（ａ）はカード情報の一例を示す。
【００３１】
一方、予め記憶部５には、ＩＣカード６の各管理番号を読み取った順序とその各人物が誘導された位置に立った被写体から特定される顔位置が属する互いに重複しない領域である顔基準位置とが対応づけられた顔基準位置テーブル５ａが記憶されている。図８（ｂ）は顔基準位置テーブル５ａに記憶されている情報の一例である。リンク部１３は、Ｓ２で検出された顔位置と顔基準位置テーブル５ａとを比較し、各顔位置が属する顔基準位置を特定し、各顔位置と該顔位置の属する顔基準位置と撮影画像の識別情報を対応づけた顔位置情報を記憶部５に記憶する。図８（ｃ）は顔位置情報の一例を示す。さらに、リンク部１３は、カード情報と顔基準位置テーブル５ａと顔位置情報に従って管理番号と顔位置とを対応づけ、この対応を顔管理情報として管理ＤＢ４に記憶する。図８（ｄ）は顔管理情報の一例を示す。こうすれば、人物の立つ位置ごとにＩＣカードリーダ３を設置しなくても管理番号と顔位置とを対応づけることができ、設備投資を抑制できる。
【００３２】
＜第２実施形態＞
第１実施形態の顔検出装置１００によって得られた顔管理情報に従って撮影画像の特定の顔部分に様々な画像処理を施すことができる。例えば、指定された管理番号に対応する顔部分以外の顔部分にモザイク処理、色変更、明度変更、形状変更などの各種保護処理を行って閲覧できないようにしてもよい。図９は、かかる画像処理を行う撮影画像提供システムの概略機能構成図である。図９に示す撮影画像提供システムは、プリント注文サーバ２００及びパソコン３００がインターネットなどのネットワーク４００を介して互いに接続されることで構成される。また、プリント注文サーバ２００は、顔検出装置１００とＬＡＮなどにより接続されており、顔検出装置１００の管理ＤＢ４の顔管理情報を共有している。この図では、パソコン３００は１つしか図示されていないが、実際は複数のパソコン３００がプリント注文サーバ２００に接続される。この場合、プリント注文サーバ２００は、パソコン２００を固有の識別情報（ＩＰアドレスやユーザＩＤなど）で識別する。
【００３３】
プリント注文サーバ２００は、注文部２０３により所望の撮影画像の選択、写真プリントのサイズ、プリント枚数などの注文を受け付けてプリンタ２０４によりプリントするが、その際、各パソコン３００から送信される管理番号に基づいて注文される撮影画像をプレビュー表示させるデータ（Ｗｅｂページなど）をパソコン３００に送信する。このプレビュー表示の中には、パソコン３００からプリント注文サーバ２００に送信した管理番号に対応する顔部分だけが表示され、他の顔部分はモザイク処理などの各種画像保護処理がされて閲覧できないようにされる。この画像処理は顔検出装置１００の画像処理部１４により行われる。
【００３４】
図１０は撮影画像提供システムの実行する画像提供処理のフローチャートである。ＩＣカード６を保有する注文者が、写真プリントの注文時にパソコン３００から管理番号をＩＣカードリーダ３でパソコン３００に入力し、あるいはＩＣカード６に印刷された管理番号を注文者がキーボードなどの操作部３０１からパソコン３００に手入力し、プリント注文サーバ２００に管理番号を送信する（Ｓ１０１）。プリント注文サーバ２００の注文部２０３は、画像処理部１４に受信した管理番号を通知して管理番号に対応する顔部分に対する画像保護処理を依頼する（Ｓ１０２）。画像処理部１４は、この通知により管理番号の指定を受け付け、指定された管理番号に対応する撮影画像及び顔部分を顔管理情報に従って特定する。顔管理情報により、パソコン３００から送信した管理番号に対応する撮影画像を素早く特定できる。画像処理部１４は、特定された顔部分以外の顔部分の閲覧が困難又は全く閲覧できない状態になるよう（モザイク処理など）、特定された撮影画像を処理する（Ｓ１０３）。画像処理部１４が処理した後の撮影画像を処理画像という。なお、予め全ての顔部分が閲覧困難となる処理を撮影画像に行っておき、指定された管理番号に対応する顔部分だけ閲覧可能となるように復元する処理（モザイク解除など）を行ってもよい。
【００３５】
図１１（ａ）〜（ｄ）は、それぞれ管理番号ｎ（ｎ＝１〜４）に対応する顔位置（ｘｎ，ｙｎ）〜（ｘｎ，ｙｎ）の顔部分ｆｎ以外の顔部分の閲覧が困難となるように処理された処理画像の一例である。
【００３６】
画像処理部１４は処理画像をプリント注文サーバ２００に送信する（Ｓ１０４）。Ｗｅｂサーバで構成されたプリント注文サーバの閲覧部２０２は、処理画像を閲覧するＷｅｂページをパソコン３００に送信する（Ｓ１０５）。パソコン３００は、受信したＷｅｂページをＷｅｂブラウザなどで表示する（Ｓ１０６）。ただし、このＷｅｂページでは、指定した管理番号に対応する顔部分以外の顔部分は閲覧が困難である。即ち、各人物の保有するＩＣカード６に記録された管理番号に対応する顔部分以外の顔画像をパソコン３００で自由に閲覧・複製することを防ぐことができ、肖像権保護や著作権保護に役立つ。
【００３７】
＜第３実施形態＞
画像処理部１４の実行する画像処理は画像保護処理に限定されない。例えば、検出された顔部分を抽出し、人物キャラクタの顔部分がくり抜かれた「かきわり」状のテンプレート画像の空白領域にその顔部分を合成した合成画像を作成してもよい。この際、指定された管理番号に対応する顔画像を特定の合成領域に配置するようにしてもよい。
【００３８】
図１２はかかる画像処理を実行する顔検出装置１００の概略機能構成図である。顔検出装置１００は、テンプレート入力部１５をさらに備えている。テンプレート入力部１５は、メディアリーダやＵＳＢポートなどで構成され、テンプレート画像の入力を受け付ける。図１３に示すように、テンプレート画像は、顔部分を合成する「かきわり」状の空白領域である合成領域（この図ではＰｎ：ｎ＝１〜４）を有している。合成領域の形状や数、テンプレート画像の図柄は図示したものに限定されない。
【００３９】
画像処理部１４は、顔抽出部１４ａ及び合成部１４ｂを有する。顔抽出部１４ａは、顔検出部１１の検出した顔部分の画像である顔画像を撮影画像から抽出する。抽出された顔画像は記憶部５に記憶される。合成部１４ｂは、記憶部５の顔画像をテンプレート画像の合成領域に配置して合成した合成画像を作成する。作成された合成画像は、第２実施形態と同様にして、プリント注文サーバ２００の閲覧部２０２がＷｅｂページとしてネットワーク４００を介してパソコン３００に送出してもよいし、プリンタ２０４でプリントしてもよい。
【００４０】
本実施形態の顔検出装置１００は、図１０と同様の処理を行うが、以下の点が異なる。即ち、Ｓ１０３では、合成部１４ｂは、顔抽出部１４ａの抽出した顔画像の内、プリント注文サーバ２００から通知された管理番号に対応する顔部分の画像を特定の合成領域に配置する。通知された管理番号に対応する顔部分の画像に所定の画像処理（顔画像の長さ、形状、色を合成領域に合わせて変更するなど）を行った上で特定の合成領域に配置してもよい。特定の合成領域は例えばテンプレート画像のデザイン上最も目立つ位置であるが、これに限定する必要はない。
【００４１】
図１４は、指定された管理番号に対応する顔部分を特定の合成位置に配置した一例である。ここでは、合成部１４ｂは、パソコン３００から送信・指定された管理番号００１に対応する顔部分ｆ１を特定の合成位置即ち最も目立つ合成位置Ｐ１に合成された状態を示している。その他の顔部分ｆ２〜ｆ４は残る合成位置Ｐ２〜Ｐ４にランダムに配置するなどして適宜配置されている。合成部１４ｂは、各合成位置に配置した顔部分をテンプレート画像と合成し、得られた合成画像を処理画像としてプリント注文サーバ２００に送信する（Ｓ１０５）。その他の各ステップの処理は第２実施形態と同様であるので説明は省略する。
【００４２】
以上のようにすれば、集合写真から抽出された人物の顔画像の内、注文者の保有するＩＣカード６の管理番号に対応する顔部分に特別の画像処理を施した面白い画像を提供することができる。特に、指定された管理番号に対応する顔部分をテンプレート画像の特定の合成領域に配置することもできる。
【図面の簡単な説明】
【００４３】
【図１】第１実施形態に係る顔検出装置の概略機能構成図
【図２】リンク処理の流れを示すフローチャート
【図３】撮影画像の一例を示す図
【図４】人物の立ち位置に配置されたＩＣカードリーダの一例を示す図
【図５】記憶部及び管理ＤＢに記憶される情報の概念説明図
【図６】撮影画像上の分割領域を例示した図
【図７】ＩＣカードを保有する人物をＩＣカードを読み取らせた順序に応じた位置に誘導する状況を例示した図
【図８】記憶部及び管理ＤＢに記憶される情報の概念説明図
【図９】第２実施形態に係る撮影画像提供システムの概略機能構成図
【図１０】撮影画像提供システムの実行する画像提供処理のフローチャート
【図１１】管理番号に対応する顔部分以外の顔部分が閲覧困難になるよう処理された撮影画像の一例を示す図
【図１２】第３実施形態に係る顔検出装置の概略機能構成図
【図１３】テンプレート画像の一例を示す図
【図１４】合成画像の一例を示す図
【符号の説明】
【００４４】
１：処理部、２：メディアリーダ、３：ＩＣカードリーダ、４：管理ＤＢ、１０：撮影画像入力部、１１：顔検出部、１２：管理番号取得部、１３：リンク部、１００：顔検出装置
【図１】
2006113741.tif 000003
【図２】
2006113741.tif 000004
【図３】
2006113741.tif 000005
【図４】
2006113741.tif 000006
【図５】
2006113741.tif 000007
【図６】
2006113741.tif 000008
【図７】
2006113741.tif 000009
【図８】
2006113741.tif 000010
【図９】
2006113741.tif 000011
【図１０】
2006113741.tif 000012
【図１１】
2006113741.tif 000013
【図１２】
2006113741.tif 000014
【図１３】
2006113741.tif 000015
【図１４】
2006113741.tif 000016